(57)【要約】【課題】反りにくい合板およびその合板を用いた木製ドアを提供する。【解決手段】合板１１が複数枚の同一の長方形状の板を張り合わせて成る。合板１１は、内層板１３と１対の表層板１４とから成る。内層板１３は両面１３ａが平坦である。各表層板１４は一方の面１４ａが平坦面で、他方の面１４ｂが４辺のうちの２辺１４ｄ，１４ｆと平行の中心線１５に沿って山部１６を形成し中心線１５を対称軸として対称形状の曲面から成る。各表層板１４は平坦面で内層板１３の両面１３ａに４辺を合わせて互いに対称に張り合わせられている。木製ドアは、その合板１１と１対の縁材とを有する。縁材は各板の中心線１５と平行の２辺１４ｄ，１４ｆに沿って各板の縁を結合するよう固定されている。【選択図】図２
2004249615.tif 000002
【特許請求の範囲】
【請求項１】
複数枚の同一の長方形状の板を張り合わせて成る合板であって、
内層板と１対の表層板とから成り、
前記内層板は両面が平坦であり、
各表層板は一方の面が平坦面で、他方の面が４辺のうちの２辺と平行の中心線に沿って山部または谷部を形成し前記中心線を対称軸として対称形状の曲面から成り、各表層板は前記平坦面で前記内層板の両面に４辺を合わせて互いに対称に張り合わせられていることを、
特徴とする合板。
【請求項２】
２枚の同一の長方形状の板を張り合わせて成る合板であって、
各板は一方の面が平坦面で、他方の面が４辺のうちの２辺と平行の中心線に沿って山部または谷部を形成し前記中心線を対称軸として対称形状の曲面から成り、各板は前記平坦面で互いに対称に張り合わせられていることを、特徴とする合板。
【請求項３】
請求項１または２記載の合板と１対の縁材とを有し、
前記縁材は各板の前記中心線と平行の２辺に沿って各板の縁を結合するよう固定されていることを、
特徴とする木製ドア。
【発明の詳細な説明】
【０００１】
【発明の属する技術分野】
本発明は、住宅などの建築物に適した合板および木製ドアに関する。
【０００２】
【従来の技術】
住宅の木製ドアは、ドア枠と干渉しないよう安定した形状を保つ必要がある。この為、図１（Ａ）に示すように、通常の木製ドア１は、合板２を用いたうえ、４辺を枠体３等で補強されている。図１（Ｂ）に示すように縦縁１１ａの２辺のみを補強した場合、合板１１の表面材の収縮等で生じる長手方向の反りにより横断面が湾曲する可能性が大きくなるからである。
【０００３】
【発明が解決しようとする課題】
しかしながら、木製ドアの製造コストを下げるため、木製ドアを縦縁の２辺のみの補強で、反りを生じないものを製造したいという要望がある。
【０００４】
本発明は、このような従来の課題に着目してなされたもので、反りにくい合板およびその合板を用いた木製ドアを提供することを目的としている。
【０００５】
【課題を解決するための手段】
上記目的を達成するために、本発明に係る合板は、複数枚の同一の長方形状の板を張り合わせて成る合板であって、内層板と１対の表層板とから成り、前記内層板は両面が平坦であり、各表層板は一方の面が平坦面で、他方の面が４辺のうちの２辺と平行の中心線に沿って山部または谷部を形成し前記中心線を対称軸として対称形状の曲面から成り、各表層板は前記平坦面で前記内層板の両面に４辺を合わせて互いに対称に張り合わせられていることを、特徴とする。
【０００６】
一般の木製の平板の場合、反りが表れる中心の位置とその力の向きとが決まっていない。このため、平板を層状に重ねて成る合板は、各平板の反りの力が合わさった位置にその合わさった力の反りを生じる。従って、反りが表れる位置と力とを予想しにくく、反りを防ぎにくい。
【０００７】
これに対し、本発明に係る合板は、表層板が山部または谷部を有するため、山部の場合、山部を中心として山部の突出方向に反ろうとする力が働き、谷部の場合、山部の場合と反対の方向に反ろうとする力が働く。しかしながら、各表層板は互いに対称に張り合わせられているため、両面で力のバランスがとられ、反りを生じにくい。また、表層板の曲面は中心線を対称軸とする対称形状のため、中心線の両側で反りの力のバランスをとることができ、反りにくくなっている。
【０００８】
反ろうとする力による反りの大きさは通常、縁に近づくほど大きくなる。しかしながら、各表層板が山部を有する場合、表層板は中心線と平行の２辺に近づくほど薄くなっていることから、その２辺に近づくほど反りの力が小さくなる。このように、山部を有する場合の本発明に係る合板は、特に反りにくくなっている。
【０００９】
各表層板は、繊維方向（木目方向）も対称であることが好ましい。内層板が複数の場合、各内層板は繊維方向（木目方向）が交差するよう重ねられていることが好ましい。隣り合う表層板と内層板とは、繊維方向（木目方向）が交差するよう重ねられていることが好ましい。
【００１０】
本発明に係る合板は、２枚の同一の長方形状の板を張り合わせて成る合板であって、各板は一方の面が平坦面で、他方の面が４辺のうちの２辺と平行の中心線に沿って山部または谷部を形成し前記中心線を対称軸として対称形状の曲面から成り、各板は前記平坦面で互いに対称に張り合わせられていることを、特徴とするものであってもよい。
【００１１】
この場合、各板が山部または谷部を有するため、山部の場合、山部を中心として山部の突出方向に反ろうとする力が働き、谷部の場合、山部の場合と反対の方向に反ろうとする力が働く。しかしながら、各板は互いに対称に張り合わせられているため、両面で力のバランスがとられ、反りを生じにくい。また、各板の曲面は中心線を対称軸とする対称形状のため、中心線の両側で反りの力のバランスをとることができ、反りにくくなっている。各表層板は、繊維方向（木目方向）も対称に張り合わせられていることが好ましい。
【００１２】
本発明に係る木製ドアは、前述の本発明に係る合板と１対の縁材とを有し、前記縁材は各板の前記中心線と平行の２辺に沿って各板の縁を結合するよう固定されていることを、特徴とする。
【００１３】
本発明に係る木製ドアは、前述の本発明に係る合板を用いているため、中心線に対し垂直の断面には反りを生じにくい。しかしながら、中心線と平行の断面では、反りを防ぎにくくなっている。このような中心線と平行の断面に対する反りは、縁材により防止されている。このため、本発明に係る木製ドアは、全体に反りを生じにくい。
【００１４】
【発明の実施の形態】
以下、図面に基づき本発明の実施の形態について説明する。
図１〜図３は、本発明の実施の形態を示している。
図１（Ｂ）に示すように、木製ドア１０が、合板１１と１対の縁材１２とから成っている。合板１１は、長方形状である。
【００１５】
合板１１は、複数枚（図２（Ａ）では３枚）の同一の長方形状の板を張り合わせて成っている。合板１１は、木製の内層板１３と１対の表層板１４とから成っている。なお、図２（Ａ）には、内層板１３が１枚の例を示しているが、内層板１３は複数枚から成ってもよい。
【００１６】
図２（Ａ）に示すように、内層板１３は、両面１３ａが平坦な平板である。図２（Ａ）および図３（Ａ）に示すように、各表層板１４は一方の面１４ａが平坦面で、他方の面１４ｂが曲面から成っている。曲面は、各表層板１４の４辺１４ｃ，１４ｄ，１４ｅ，１４ｆのうちの対向する２辺１４ｄ，１４ｆと平行の中心線１５に沿って山部１６を形成し、中心線１５を対称軸として対称形状となっている。一方の面１４ａからの山部１６の高さは端から端まで同一であり、中心線１５から２辺１４ｄ，１４ｆに近づくに従って高さが低くなっている。曲面は緩やかな曲面であり、その半径は例えば１ｍである。
【００１７】
各表層板１４は平坦面で内層板１３の両面１３ａに４辺１４ｃ，１４ｄ，１４ｅ，１４ｆを合わせて互いに対称に張り合わせられている。各表層板１４は繊維方向（木目方向）も互いに対称であり、表層板１４と内層板１３とは繊維方向が交差するよう重ねられている。各表層板１４と内層板１３とは、接着され一体となっている。なお、合板１１は、内層板１３を用いずに、１対の表層板１４のみで構成してもよい。
【００１８】
図１（Ｂ）に示す木製ドア１０で、縁材１２は、各表層板１４および内層板１３の中心線１５と平行の２辺１４ｄ，１４ｆ（縦方向の長辺）に沿って各表層板１４および内層板１３の縁を結合するよう固定されている。縁材１２の固定は、釘止めでも接着でもよい。縁材１２は、合板１１の曲面により薄くなった縁に固定される。
【００１９】
次に、作用について説明する。
図３（Ｂ）に示すように、一般の木製の平板４の場合、平板４の収縮変化は直線状に発生するため、反りが表れる中心の位置（矢印Ａ参照）とその力の向き（矢印Ｂ参照）とが決まっていない。このため、図２（Ｂ）に示すように、平板４を層状に重ねて成る合板２は、各平板４の反りの力が合わさった位置にその合わさった力の反り（矢印Ｂ参照）を生じる。従って、反りが表れる位置と力とを予想しにくく、反りを防ぎにくい。
【００２０】
これに対し、合板１１は、表層板１４が山部１６を有するため、図３（Ａ）に示すように、山部１６を中心として山部１６の突出方向に反ろうとする規則的な力（矢印Ｃ参照）が働く。しかしながら、図２（Ａ）に示すように、各表層板１４は互いに対称に張り合わせられているため、両面で力（矢印Ｃ参照）のバランスがとられ、反りを生じにくい。また、表層板１４の曲面は中心線１５を対称軸とする対称形状のため、中心線１５の両側で反りの力（矢印Ｄ参照）のバランスをとることができ、反りにくくなっている。
【００２１】
反ろうとする力による反りの大きさは通常、縁に近づくほど大きくなる。しかしながら、各表層板１４が山部１６を有し、表層板１４は中心線１５と平行の２辺１４ｄ，１４ｆに近づくほど薄くなっていることから、その２辺１４ｄ，１４ｆに近づくほど反りの力が小さくなる。このように、合板１１は、特に反りにくくなっている。
【００２２】
木製ドア１０は、前述の合板１１を用いているため、中心線１５に対し垂直の断面には反りを生じにくい。しかしながら、中心線１５と平行の断面では、反りを防ぎにくくなっている。このような中心線１５と平行の断面に対する反りは、縁材１２により防止されている。このため、木製ドア１０は、全体に反りを生じにくく、ドア枠と干渉しないよう安定した形状を保つことができる。
【００２３】
【発明の効果】
本発明によれば、反りにくい合板およびその合板を用いた木製ドアを提供することができる。
【図面の簡単な説明】
【図１】（Ａ）従来の木製ドアの正面図、（Ｂ）本発明の実施の形態の木製ドアの正面図である。
【図２】（Ａ）本発明の実施の形態の合板に対する反りの力の大きさと向きとを示す説明図、（Ｂ）従来の合板に対する反りの力の大きさと向きとを示す説明図である。
【図３】（Ａ）本発明の実施の形態の合板の表層板に対する反りの力の大きさと向きとを示す説明図、（Ｂ）平板に対する反りの力の大きさと向きとを示す説明図である。
【符号の説明】
１０    木製ドア
１１    合板
１２    縁材
１３    内層板
１４    表層板
１６    山部
【図１】
2004249615.tif 000003
【図２】
2004249615.tif 000004
【図３】
2004249615.tif 000005